(57)【要約】      （修正有）【課題】利便性を向上した棒状照明装置を提供する。【解決手段】棒状照明装置は、上方に開口部を設けたケースと、該ケースの該開口部に設けるランプカバーと、該ケース内部に設けた中心部と、該中心部の上方に設けたプリント基板と、該プリント基板の下方の正極シートと負極シートの間に設けた電源部と、該ケースの他端に設けて内部に接合部を設けたキャップと、該ケースの外側に設けてその上に該ケースを被覆するスナップリングを設けた固定座と、を包含する。【選択図】図４
0003178236.tif 000002
【実用新案登録請求の範囲】
【請求項１】
棒状照明装置において、
ケースであって、その上方に開口部が設けられ、且つ該ケースの両端に貫通する貫通口が設けられ、該ケースの外部下方及び上方両側に凹嵌部が設けられ、該ケース内部上方の該開口部の両側位置に上嵌溝が、中央両側に内挿溝が設けられた、上記ケースと、
ランプカバーであって、該ケースの該開口部に設けられ、該ランプカバーの両側に、該ケースの上嵌溝に対応する凸嵌部が設けられた、上記ランプカバーと、
中心部とされ、該ケース内部に設けられ、その両端に、該ケースの一端に係止される押しボタンシートと該ケースの他端内部に位置する固定部が設けられ、また該中心部の両側に、該ケース内部中央両側の該内挿溝に対応するスライドレールが設けられた、上記中心部と、
プリント基板であって、該中心部の上方に設けられ、並びにその上方に複数の発光体が設けられ、該プリント基板の一端の上下にそれぞれ、相互に接続されたセンサと検出回路が設けられ、プリント基板の下方の検出回路の両端にそれぞれ隣接するように、それと接続された正極シートと該中心部の押しボタンシートに対応するスイッチが設けられ、該プリント基板の他端に該正極シートに対応する負極シートが設けられた、上記プリント基板と、
電源部であって、該プリント基板下方の正極シートと負極シートの間に設けられ、並びに電力を提供する、上記電源部と、
キャップであって、該ケースの他端に設けられ、該キャップの内部に該中心部の他端の固定部に対応する接合部が設けられ、該接合部は、雌ネジとされた、上記キャップと、
固定座であって、該ケースの外側に設けられ、該ケースを被覆するスナップリングが設けられ、該スナップリング内部の両端及び中央に該ケース外部の凹嵌部に対応する嵌部が設けられた、上記固定座と、
を包含したことを特徴とする、棒状照明装置。
【請求項２】
請求項１記載の棒状照明装置において、該ランプカバーは、伏凸形状を呈することを特徴とする、棒状照明装置。
【請求項３】
請求項１記載の棒状照明装置において、該ランプカバーは、霧状面とされることを特徴とする、棒状照明装置。
【請求項４】
請求項１記載の棒状照明装置において、該中心部の固定部はスクリューロッドとされることを特徴とする、棒状照明装置。
【請求項５】
請求項１記載の棒状照明装置において、該プリント基板の該発光体はＬＥＤランプとされることを特徴とする、棒状照明装置。
【請求項６】
請求項１記載の棒状照明装置において、該プリント基板の該発光体は蛍光灯とされることを特徴とする、棒状照明装置。
【請求項７】
請求項１記載の棒状照明装置において、該電源部は電池とされることを特徴とする、棒状照明装置。
【請求項８】
請求項１記載の棒状照明装置において、該電源部は外接ＡＣ電源とされることを特徴とする、棒状照明装置。
【考案の詳細な説明】
【技術分野】
【０００１】
本考案は一種の照明装置に係り、特にケース上方に発光体を全面発光させる霧状面ランプカバーが設けられ、中心部下方に電源部を直列接続させる対向する正極シートと負極シートが設けられ、並びに空間を節約でき上下のセンサと検出回路とタッチコントロールかセンシングかを選択して発光体を動作させられるスイッチが設けられた、棒状照明装置に関する。
【背景技術】
【０００２】
灯管はメインの照明装置に用いられ、補助照明としては使用されない。図１、図２、図３に示されるのは、周知の製品の立体分解図、立体組み合わせ図、組み合わせ断面図である。それは、中央に貫通孔３１が設けられたアルミ管３を具え、該アルミ管３の内部下方に凸レール３３が設けられ、該アルミ管３の外側上方両側及び下方中央に、それぞれ凹溝３４が設けられ、並びにその上方上部に中央貫通孔３１と連通するランプ貫通孔３２が設けられ、アルミ管３の内部に管体１が設けられ、該管体１に、上方に透明ランプカバー１１１を具えた複数のランプシート溝１１が等距離に設置されている。該管体１の一端には押しボタンシート１２が設けられ、該管体１の別端にはスクリューロッド１４が設けられ、その下方に、アルミ管３の内部下方中央の凸レール３３に対応する滑り溝１３１を具えたガイドブロック１３が設けられ、管体１の下方内部にプリント基板２が設けられ、その一端に管体１の一端の押しボタンシート１２に対応するスイッチ２４が設けられ、該プリント基板２の上に管体１のランプシート溝１１内に設置される複数のＬＥＤランプ２１が設けられている。ランプシート溝１１の両側には複数の正極シート２３と負極シート２２が設けられて、複数の電池２２２３が挿入される。また、管体１のスクリューロッド１４に、アルミ管３の他端に固定できると共に雌ネジ１５１が設けられたナット１５が組み合わされる。上方にスナップリング４１を設けた固定座４は、該スナップリング４１の上方両端及び内部下方中央に、アルミ管３外部の凹溝３４に対応する凸部が設けられて、内部にプリント基板２を設けた管体１とアルミ管３を固定してスライド調整可能とする。
【０００３】
周知の製品の構造設計は不良であり、その管体１に等距離に設けられた複数のランプシート溝１１の前後の電池２２２３は、一つずつ離間設置する必要があり、このため、周知の製品は空間を浪費し、さらに、構造の改良を可能とする余分の空間がない。ゆえに周知の構造は、押しボタン式で複数のＬＥＤランプ２１を発光させなければならず、これは、暗いところで押しボタンシート１２に接続されたスイッチ２４を探して操作するのが相当に困難である。また、その電池の着脱時に相当に手間と時間がかかる。また、周知の製品の構造は、一側でＬＥＤランプ２１のオンオフ操作を行うため、使用上、操作に不便であり、さらに、管体１に設けられた複数のランプシート溝１１内の複数のＬＥＤランプ２１は、一つずつプリント基板２に対応させて設けなければならず、僅かな位置ずれがあると、組立不能となり、そのために廃品となってしまう。さらに、ＬＥＤランプ２１の光線は直接に管体１のランプシート溝１１上方に設けられた透明ランプカバー１１１よりアルミ管３の複数のランプ貫通孔３２を通り、外部に投射されるが、このために照射光線は点状となり、光線が到達する一部は暗く、一部は明るくなり、全面照明を行えない。その直接投射される点状照明は、さらに使用者の目を刺激し快適でなく、このために実用性が大きく損なわれた。
【０００４】
以上が業者及び消費者が極めて解決を望む部分であり、本考案者はこれらを考慮して設計を行ない、終に、発光体を選択的にタッチ操作或いはセンシングで動作させられるようにし、対向する正極シートと負極シートにより空間を大量に節約して検出回路とセンサを設置して電源部に直接接続し、また、霧状面のランプカバーにより発光体を全面式発光させ、並びに目に対する刺激を防止し、暗いところに置かれてセンシングにより補助照明の機能を達成し、有効に使用操作の便利性を向上した棒状照明装置を完成した。
【考案の概要】
【考案が解決しようとする課題】
【０００５】
上述の既存の技術の不足のところを解決するため、本考案の主要な目的は、一種の装置上の改良を行った棒状照明装置を提供することにあり、その発光体は、選択的に暗いところでの操作に便利なタッチ操作に供されるかセンシング作動し、これにより既存の技術中の問題点を克服することが期待される。
【０００６】
本考案の次の目的は、一種の棒状照明装置を提供することにあり、その中心部下方に空間を節約し組立に便利で並びに電源部と直接接続された正極シートと負極シートが設けられる。
【０００７】
本考案のまた一つの目的は、一種の棒状照明装置を提供することにあり、それは、ケース上方に霧状面のランプカバーが設置され、発光体の光線に暗い死角がなく、前面式発光が行え且つ目を刺激しない。
【０００８】
本考案が解決しようとする問題は、周知の製品はその管体に等距離に設けられた複数のランプシート溝に設置された電池が、一つずつ離間設置される必要があり、このため、周知の製品は空間を浪費し、さらに、構造の改良を可能とする余分の空間がなく、手でスイッチを押圧する方式でしか複数のＬＥＤランプを発光させなければならず、暗いところで押しボタンシートに接続されたスイッチを探して操作するのが相当に困難である。また、一つずつ離間設置された電池は、その着脱時に相当に手間と時間がかかり、単一辺でしかＬＥＤランプ構造をオンオフできないため、操作上、相当に不便である。また、管体に設けられた複数のランプシート溝内の複数のＬＥＤランプは、一つずつプリント基板に対応させて設けなければならず、僅かな位置ずれがあると、組立不能となり、そのために廃品となってしまう。さらに、ＬＥＤランプの発射する光線は直接に管体のランプシート溝上方に設けられた透明カバーよりアルミ管の複数のランプ孔を通り、外部に投射されるが、このために照射光線は点状となり、部分的に明るく部分的に暗くなり、全面照明を行えない。その直接投射される点状照明は、さらに使用者の目を刺激し快適でなく、このために実用性が大きく損なわれた。
【課題を解決するための手段】
【０００９】
上述の目的を達成するため、本考案は一種の棒状照明装置を提供する。それは、
ケースであって、その上方に開口部が設けられ、且つ該ケースの両端に貫通する貫通口が設けられ、また、外部下方及び上方両側に凹嵌部が設けられ、該ケース内部上方の該開口部の両側位置に上嵌溝が、中央両側に内挿溝が設けられた、上記ケースと、
ランプカバーであって、該ケースの該開口部に設けられ、該ランプカバーの両側に、該ケースの上嵌溝に対応する凸嵌部が設けられた、上記ランプカバーと、
中心部とされ、該ケース内部に設けられ、その両端に、該ケースの一端に係止される押しボタンシートと該ケースの他端内部に位置する固定部が設けられ、また該中心部の両側に、該ケース内部中央両側の該内挿溝に対応するスライドレールが設けられた、上記中心部と、
プリント基板であって、該中心部の上方に設けられ、並びにその上方に複数の発光体が設けられ、該プリント基板の一端の上下にそれぞれ、相互に接続されたセンサと検出回路が設けられ、プリント基板の下方の検出回路の両端にそれぞれ隣接するように、それと接続された正極シートと該中心部の押しボタンシートに対応するスイッチが設けられ、該プリント基板の他端に該正極シートに対応する負極シートが設けられた、上記プリント基板と、
電源部であって、該プリント基板下方の正極シートと負極シートの間に設けられ、並びに電力を提供する、上記電源部と、
キャップであって、該ケースの他端に設けられ、該キャップの内部に該中心部の他端の固定部に対応する接合部が設けられ、該接合部は、雌ネジとされるのがよい、上記キャップと、
固定座であって、該ケースの外側に設けられ、該ケースを被覆するスナップリングが設けられ、該スナップリング内部の両端及び中央に該ケース外部の凹嵌部に対応する嵌部が設けられた、上記固定座と、
を包含する。
【００１０】
好ましくは、本考案のランプカバーの形状は、伏凸形状を呈する。
【００１１】
好ましくは、本考案のランプカバーは霧状面とされる。
【００１２】
好ましくは、本考案の該中心部の固定部はスクリューロッドとされる。
【００１３】
好ましくは、本考案の該プリント基板の該発光体はＬＥＤランプとされる。
【００１４】
好ましくは、本考案の該プリント基板の該発光体は蛍光灯とされる。
【００１５】
好ましくは、本考案の電源部は電池とされる。
【００１６】
好ましくは、本考案の電源部は整流された外接ＡＣ電源とされる。
【考案の効果】
【００１７】
本考案は発光体を選択的にタッチ操作或いはセンシングで動作させられ、対向する正極シートと負極シートにより空間を大量に節約して検出回路とセンサを設置して電源部に直接接続し、また、霧状面のランプカバーにより発光体を全面式発光させ、並びに目に対する刺激を防止し、暗いところに置かれてセンシングにより補助照明の機能を達成し、有効に使用操作の便利性を向上し、進歩性、実用性及び使用者の必要に符合し、多くのメリットを有する。
【図面の簡単な説明】
【００１８】
【図１】周知の製品の立体分解図である。
【図２】周知の製品の立体組み合わせ図である。
【図３】周知の製品の組み合わせ断面図である。
【図４】本考案の製品の立体分解図である。
【図５】本考案の製品の立体組み合わせ図である。
【図５Ａ】本考案の発光体が蛍光灯とされた実施例の立体組み合わせ図である。
【図６】本考案の組み合わせ断面図である。
【図７】本考案が暗いところに置かれて補助照明とされる実施例図（一）である。
【図８】本考案が暗いところに置かれて補助照明とされる実施例図（二）である。
【図９】本考案が暗いところに置かれて補助照明とされる実施例図（三）である。
【図１０】本考案が暗いところに置かれて補助照明とされる実施例図（四）である。
【図１１】本考案が暗いところに置かれて補助照明とされる実施例図（五）である。
【考案を実施するための形態】
【００１９】
本考案の技術内容、構造特徴、達成する目的を詳細に説明するため、以下に実施例を挙げ並びに図面を組み合わせて説明する。しかし、文中で使用される図面は示意及び明細書の補助であり、必ずしも本考案の実施後の真実の比例と正確な配置とされず、ゆえに、図示された比率と配置関係は、本考案の実際の実施上の権利範囲を限定しない。
【００２０】
図４、図５及び図６は本考案の立体分解図、立体組み合わせ図、本考案の組み合わせ断面図である。本考案の棒状照明装置の好ましい実施例は、ケース５、ランプカバー６、中心部７、プリント基板７０、電源部８、キャップ７２、固定座４を包含する。
【００２１】
前述のケース５は、その上方に開口部５０が設けられ、且つ該ケース５の一端及び他端に貫通する貫通口５００が設けられ、また外部下方及び上方両側に、凹嵌部５１、５２が設けられ、該ケース５内部上方の開口部５０両側及び中央両側に、それぞれ上嵌溝５４と内挿溝５３が設けられている。
【００２２】
前述のランプカバー６は、該ケース５の上方の該開口部５０に設けられ、該ランプカバー６の両側に、該ケース５の該上嵌溝５４に対応する凸嵌部６１が設けられ、該ランプカバー６の形状は、本実施例では伏凸形状とされ且つ霧面状を呈するが、これに限定されるわけではなく、それはまた、各種形状或いは霧状面或いは透明或いは有色或いは各種半透明とされ得て、いずれも本考案の保護範囲に属する。
【００２３】
前述の中心部７は、該ケース５の内部に設けられ、その両端にそれぞれケース５の一端に係止される押しボタンシート７０６と該ケース５の他端内部に位置する固定部７１を有し、本実施例では、該固定部７１はスクリューロッドとされるが、これに限定されるわけではなく、それはまた、各種の、固定に供される構造であれば、いずれも本考案の保護範囲に属し、また、中心部７の両側には、ケース５の内部中央両側の内挿溝５３に対応するスライドレール７００が設けられる。
【００２４】
前述のプリント基板７０は、中心部７の上方に設けられ、並びにその上方に複数の発光体７０１が設けられ、該発光体７０１は、本実施例ではＬＥＤランプとされるが、これに限定されるわけではなく、それはまた、蛍光灯（図５Ａに示される本考案の発光体が蛍光灯とされた実施例の立体組み合わせ図のとおり）、或いはその他の各種の発光する装置とされ得て、それらはいずれも本考案の保護範囲に属する。さらに、該プリント基板７０の一端の上下には、それぞれ相互に接続されたセンサ７０５１及び検出回路７０５が設けられ、プリント基板７０の下方の、検出回路７０５の両端に隣接する部分の両端に、該検出回路７０５に接続された正極シート７０３と、該中心部７の該押しボタンシート７０６に対応するスイッチ７０４が設けられ、プリント基板７０の他端に、正極シート７０３に対応する負極シート７０２が設けられる。
【００２５】
前述の電源部８は、プリント基板７０下部の正極シート７０３と負極シート７０２の間に設けられて電力を提供し、該電源部８は電池（図６に示されるとおり）或いは整流された外接ＡＣ電源（図５Ａに示されるとおり）とされ得るが、これらに限定されるわけではなく、それはまた、各種の電力を提供できる各種装置とされ得て、いずれも本考案の保護範囲に属する。
【００２６】
前述のキャップ７２は、該ケース５の他端に設けられ、該キャップ７２内部に、該中心部７の他端の固定部７１に対応する接合部７３が設けられ、本実施例では該接合部７３は雌ネジとされるが、これに限定されるわけではなく、各種の、固定に供される構造であれば、いずれも本考案の保護範囲に属する。
【００２７】
前述の固定座４は、該ケース５の外側に設けられ、それに該ケース５を被覆するスナップリング４１が設けられ、並びに該スナップリングの底部にボールが設けられて固定座４に回転自在に接続され、これによりスナップリング４１が各方向に回転可能とされ、該スナップリング４１の内部両端及び中央に、該ケース５外部の凹嵌部５１、５２に対応する嵌部４１１が設けられる。
【００２８】
図７、図８、図９、図１０及び図１１は、それぞれ本考案の暗いところでの補助照明の実施例図（一）、（二）、（三）、（四）、（五）である。本考案は固定座４を壁９に固定し、ケース５を、その外部両側及び下方に設けられた凹嵌部５１、５２を固定座４のスナップリング４１の対応部分に設けられた嵌部４１１、４１２に嵌合させて、ケース５をスライドさせて、スナップリング４１をその一端に固定するか（図７に示されるとおり）、或いはスナップリング４１をケース５の中央に固定してケース５を縦方向とするか（図８に示されるとおり）、或いは、ケース５の中央に固定してケース５を横方向とするか（図９に示されるとおり）、或いは各種の補助照明が必要なところ、たとえばドア９１（図１０に示されるとおり）の平面に固定座４を取り付けることができる。ケース５はその外部両側及び下方に設けられた凹嵌部５１、５２で固定座４のスナップリング４１の対応部分の嵌部４１１、４１２にスライド自在に嵌合されて、その一端で、垂直としたスナップリング４１に固定することもできる（図１１に示されるとおり）。
【００２９】
この設計により、本考案は発光体７０１を選択的に押しボタン操作或いはセンシングで動作させられ、対向する正極シート７０３と負極シート７０２により空間を大量に節約して検出回路７０５とセンサ７０５１を設置して電源部８に直接接続し、また、霧状面のランプカバー６により発光体７０１を全面式発光させ、並びに目に対する刺激を防止し、暗いところに置かれてセンシングにより補助照明の機能を達成し、有効に使用操作の便利性を向上し、進歩性、実用性及び使用者の必要に符合し、多くのメリットを有する。
【００３０】
以上述べたことは、本考案の実施例にすぎず、本考案の実施の範囲を限定するものではなく、本考案の実用新案登録請求の範囲に基づきなし得る同等の変化と修飾は、いずれも本考案の実用新案登録請求範囲のカバーする範囲内に属するものとする。
【符号の説明】
【００３１】
１  管体
１１  ランプシート溝
１１１  透明ランプカバー
１２  押しボタンシート
１３  ガイドブロック
１３１  滑り溝
１４  スクリューロッド
１５  ナット
１５１  雌ネジ
２  プリント基板
２１  ＬＥＤランプ
２２  負極シート
２３  正極シート
２４  スイッチ
２２２３  電池
３  アルミ管
３１  貫通孔
３２  ランプ貫通孔
３３  凸レール
３４  凹溝
４  固定座
４１  スナップリング
４１１  嵌部
５  ケース
５０  開口部
５００  貫通口
５１  凹嵌部
５２  凹嵌部
５３  内挿溝
５４  上嵌溝
６  ランプカバー
６１  凸嵌部
７  中心部
７０  プリント基板
７００  スライドレール
７０１  発光体
７０２  負極シート
７０３  正極シート
７０４  スイッチ
７０５  検出回路
７０５１  センサ
７１  固定部
７２  キャップ
７３  接合部
８  電源部
４  固定座
４１  スナップリング
４１１  嵌部
９  壁
９１  ドア
【図１】
0003178236.tif 000003
【図２】
0003178236.tif 000004
【図３】
0003178236.tif 000005
【図４】
0003178236.tif 000006
【図５】
0003178236.tif 000007
【図５Ａ】
0003178236.tif 000008
【図６】
0003178236.tif 000009
【図７】
0003178236.tif 000010
【図８】
0003178236.tif 000011
【図９】
0003178236.tif 000012
【図１０】
0003178236.tif 000013
【図１１】
0003178236.tif 000014